(57)【要約】  ヘアスタイリング装置のためのアタッチメントは、環状のダクトを含み、ダクトは、空気流をヘアスタイリング装置から受入れる空気入口を含む。アタッチメントは、更に、空気を空気入口から空気出口に向かって差し向けるためにダクト内に配置された少なくとも１つの羽根を含む。ダクトは、湾曲した上部と、湾曲した下部と、真直ぐな側部を含み、上部は、側部によって下部に接合され、少なくとも１つの羽根は、真直ぐな側部の中に位置決めされる。羽根の各々は、弧状の形態を有する。
2021526426.tif 000002
【特許請求の範囲】
【請求項１】
ヘアスタイリング装置のためのアタッチメントであって、
環状のダクトを含み、前記ダクトは、空気流をヘアスタイリング装置から受入れる空気入口を含み、
更に、空気を前記空気入口から空気出口に向かって差し向けるために前記ダクト内に配置された少なくとも１つの羽根を含み、
前記ダクトは、湾曲した上部と、湾曲した下部と、真直ぐな側部を含み、前記上部は、前記側部によって前記下部に接合され、前記少なくとも１つの羽根は、前記真直ぐな側部の中に位置決めされ、
前記羽根の各々は、弧状の形態を有する、アタッチメント。
【請求項２】
前記少なくとも１つの羽根は、前記空気出口と不連続である、請求項１に記載のアタッチメント。
【請求項３】
前記少なくとも１つの羽根は、前記空気出口から２〜９ｍｍの範囲の距離だけ後方に配置される、請求項２に記載のアタッチメント。
【請求項４】
前記少なくとも１つの羽根は、前記空気出口から４〜７ｍｍの範囲の距離だけ後方に配置される、請求項２又は３に記載のアタッチメント。
【請求項５】
前記ダクトは、内壁と外壁とによって構成され、
前記少なくとも１つの羽根は、前記内壁と前記外壁の間を延びる薄板である、請求項１に記載のアタッチメント。
【請求項６】
前記少なくとも１つの羽根は、翼形断面を有する、請求項１〜５の何れか１項に記載のアタッチメント。
【請求項７】
前記少なくとも１つの羽根は、分離した羽根であり、分離した羽根は、大きい部分と小さい部分を有する、請求項１〜４の何れか１項に記載のアタッチメント。
【請求項８】
２つ又は３つ以上の前記羽根を含む、請求項１〜７の何れか１項に記載のアタッチメント。
【請求項９】
１０個の前記羽根が、前記ダクト内に固定される、請求項１〜８の何れか１項に記載のアタッチメント。
【発明の詳細な説明】
【技術分野】
【０００１】
本発明は、手持ち式電気器具、特に、温風スタイリング装置又はヘアドライヤ等のヘアケア電気器具のためのアタッチメントに関する。
【背景技術】
【０００２】
在来の温風スタイリング装置では、空気が、ファンユニットによって入口の中に引かれて、アタッチメント又はヘッドによって髪に向かって差し向けられる。所望のスタイルに応じて、空気流は、加熱されてもよいし、加熱されなくてもよい。取外し可能なアタッチメントが、温風スタイリング装置又はヘアドライヤの空気流出口端部に取付けられ、温風スタイリング装置から放出された空気流がユーザの髪に入射する前における空気流の速度及び形態を修正する機能を有する。
【発明の概要】
【発明が解決しようとする課題】
【０００３】
コンセントレータ又は集中装置が、既知のアタッチメントであり、放出された空気流を集中させ且つ平たくする。別の既知のアタッチメントが、ディフューザであり、放出された空気流の速度を減少させる。アタッチメントの中を流れる加熱された空気流は、アタッチメントの外面を、触ると不快なほど高温にすることがある。アタッチメントの乾燥及びスタイリング機能を妨げることなしに、外面の過剰な加熱を軽減することが望ましい。
【課題を解決するための手段】
【０００４】
第１の側面では、本発明は、ヘアスタイリング装置のためのアタッチメントを提供し、かかるアタッチメントは、空気流をヘアスタイリング装置から受入れる空気入口と、環状の空気出口と、空気を空気入口から空気出口に搬送するダクトと、を含み、空気出口は、ダクトの前縁に配置され、空気入口のところの空気流の方向と略平行に向けられる。
【０００５】
有利なことに、アタッチメントは、ラフな乾燥具として機能し、ユーザが経験する放出された空気流は、温度と速度が全体的に一様である。
【０００６】
好ましくは、空気出口は、実質的に一定の幅Ｗを有し、幅Ｗは、０．５〜４．０ｍｍの範囲内にあり、更に好ましくは、１．０〜２．０ｍｍの範囲内にある。好ましくは、ダクトは、実質的に一定の幅Ｄを有し、幅Ｄは、２．０〜５．０ｍｍの範囲内にあり、更に好ましくは、３．０〜４．０ｍｍの範囲内にある。
【０００７】
好ましい実施形態では、ダクトは、ダクトの前縁に近づくにしたがって徐々に減少する断面積を有する。更に、ダクトは、好ましくは、内壁及び外壁によって定められ、外壁は、ダクトの前縁の近傍において内壁に向かって徐々に傾斜する。
【０００８】
第２の側面では、本発明は、ヘアスタイリング装置のためのアタッチメントを提供し、かかるアタッチメントは、空気流をヘアスタイリング装置から受入れる空気入口を有する環状ダクトと、空気流を空気入口から空気出口に向かって差し向けるためにダクト内に配置された少なくとも１つの羽根を含む。
【０００９】
入口空気流を空気出口に向かって略９０度にわたってスムーズに差し向けるために、１つ又は２つ以上の羽根をダクト内で利用する利点が見出された。羽根は、「バッフル」とも称される。
【００１０】
好ましくは、少なくとも１つの羽根は、空気出口と連続していない。好ましくは、少なくとも１つの羽根は、空気出口から２〜９ｍｍの範囲内の距離だけ、更に好ましくは、４〜７ｍｍの範囲内の距離だけ後方に配置される。
【００１１】
好ましい実施形態では、ダクトは、内壁と外壁によって定められ、少なくとも１つの羽根は、内壁と外壁の間を延びる薄板である。
【００１２】
好ましくは、ダクトは湾曲した下部に真直ぐな側面部によって接合された湾曲した上部を含み、少なくとも１つの羽根は、真直ぐな側面部内に位置決めされる。有利なことに、乱空気流がアタッチメント内で最小にされ、その結果、アタッチメントを備えた温風スタイリング装置の使用中の可聴音量を最小にする。
【００１３】
好ましくは、少なくとも１つの羽根は、翼形端面を有する。好ましくは、少なくとも１つの羽根は、分離した羽根であり、分離した羽根は、大きい部分と小さい部分を有する。更に、２つ又は３つ以上の羽根があってもよく、各羽根は、弧形を有するのがよい。好ましい実施形態では、５つの羽根が、ダクト内に固定される。
【００１４】
第３の側面では、本発明は、ヘアスタイリング装置のためのアタッチメントを提供し、かかるアタッチメントは、空気流をヘアスタイリング装置から受入れる１次空気入口と、空気流を１次空気入口から１次空気出口に搬送する第１のダクトと、第１のダクトを包囲して第１のダクトとの間に第２のダクトを構成する外部壁と、を含み、外部壁の終端縁は、１次空気出口を越えて延び、外部壁は、終端縁に近接した傾斜部分を含む。好ましくは、傾斜部分は、面取り部である。
【００１５】
１次空気入口に入る空気流は暖かく、内壁と外壁は、使用中に温かくなることがある。空気で満たされた第２のダクトが低温壁を外壁から断熱するので、低温壁は、アタッチメントの最外面の温度を最小にするように機能する。
【００１６】
有利なことに、低温壁は、使用中のアタッチメントの表面接触温度を最小にする。
【００１７】
好ましくは、外部壁の終端縁は、１次空気出口の端を２．５〜４．５ｍｍだけ、更に好ましくは、３．０〜４．０ｍｍだけ越えて延びる。
【００１８】
好ましい実施形態では、外部壁の終端縁は、長円形を有する。更に、１次空気入口は、円形であってもよいし、１次空気出口は、環状であってもよい。好ましくは、第２のダクトは、空気流を２次空気入口から２次空気出口まで搬送し、２次空気入口は、周囲の大気と流体連通した少なくとも１つのポートを有する。ポートの各々は、スロットの形態であるのがよく、各スロットは、環状の形状であるのがよい。ポートの各々は、アタッチメントの後面の近くに配置されるのがよい。
【００１９】
好ましくは、外部壁は、湾曲した下部に真直ぐな側面部によって接合された湾曲した上部を有し、湾曲した下部は、ヘアスタイリング装置との係合のためのカラーを形成するように構成されるのがよい。
【００２０】
第４の側面では、本発明は、ヘアスタイリング装置のためのアタッチメントを提供し、かかるアタッチメントは、略管状の形態を有する外壁と、略管状の形態を有する内壁を含み、外壁は、外壁の側の空気入口ポートと、外壁の開放端のところの空気出口孔を含み、内壁は、周方向に間隔をあけ且つ外壁が周波数溶接される複数の溶接リブを含む。
【００２１】
かかる溶接リブは、外壁構成体の外面上に設けられ、外壁構成体と低温壁の間の間隔を実質的に一定に維持するように機能する。
【００２２】
好ましくは、内壁は、空気出口孔の側を構成する第１の端部と、少なくとも１つのフランジを有する第２の端部を有する。好ましい実施形態では、内壁は、少なくとも１つのコネクタを有し、外壁は、少なくとも１つのコネクタを有し、一方のコネクタは、雄コネクタを含み、他方のコネクタは、雄コネクタを受入れる雌コネクタを含む。
【００２３】
雄コネクタが、薄板状の突起を含み、雌コネクタが、受入れスロットを含む。アタッチメントは、更に、外壁を包囲するプラスチック製の外部壁を含み、空気チャネルを外部壁と外壁の間に構成するのがよい。外壁は、角度方向に間隔をあけた複数の溶接リブを含むのがよく、溶接リブは、外部壁の空気出口端部に超音波溶接される。更に、アタッチメントは、内壁と外壁の間に配置され且つ間隔をあけた一連の薄板状の羽根を含むのがよく、一連の羽根は、外壁の内面に超音波溶接される。
【００２４】
好ましくは、アタッチメントは、更に、環状の形態を有し且つ内壁と外部壁の各々と係合する後プレートを含み、後プレートは、内側フランジを有するのがよく、内側フランジは、内壁の第２の端部と摩擦嵌め及び２次固定構造によって係合する。更に、２次固定構造は、プラスチック製のクリップ部材を含むのがよい。後プレートが、外部壁及び外壁と摩擦嵌め接触で係合す位置決めリップを有することが好ましい。
【００２５】
第５の側面では、本発明は、アタッチメントを組立てる方法を提供し、かかる方法は、略管状の形態の外壁を準備する工程を含み、外壁は、外壁の側の空気入口ポートと、外壁の開放端のところの空気出口孔を含み、更に、略管状の形態の内壁を準備する工程を含み、内壁は、周方向に間隔をあけた複数の溶接リブを有し、更に、外壁を内壁の周りに位置決めする工程と、外壁を、周方向に間隔をあけた複数の溶接リブに周波数溶接する工程を含む。
【００２６】
好ましくは、かかる方法は、更に、角度方向に間隔をあけた複数の溶接リブを外壁上に準備する工程と、略管状の形態を有するプラスチック製の外部壁を準備する工程と、外部壁を外壁の上に位置決めする工程と、周方向に間隔をあけた複数の溶接リブを外部壁に周波数溶接する工程を含む。
【００２７】
かかる方法は、位置決めリップ、２次固定構造及び内側フランジを含むプラスチック製の後プレートを準備する工程と、後プレートを空気出口孔の遠位端部のところに位置決めする工程と、位置決めリップ及び２次固定構造を外部壁と係合させ、内側フランジを内壁と係合させる工程を含むのがよい。
【００２８】
本発明の第１の側面と関連して上述した特徴は、本発明の他の側面に同様に適用可能であり、本発明の他の側面と関連して上述した特徴は、本発明の第１の側面に同様に適用可能である。
【００２９】
以下、添付図面を参照して、本発明の好ましい特徴を例示としてのみ説明する。
【図面の簡単な説明】
【００３０】
【図１】前方から見たアタッチメントの斜視図である。
【図２】後方から見たアタッチメントの斜視図である。
【図３】アタッチメントの平面図である。
【図４】アタッチメントの底面図である。
【図５】アタッチメントの側面図である。
【図６】図３の線Ｘ−Ｘにおけるアタッチメントの側面断面図である。
【図７】アタッチメントの正面図である。
【図８】アタッチメントの背面図である。
【図９】前方から見たアタッチメントの分解図である。
【図１０】内壁の側面図である。
【図１１】アタッチメントが連結された温風スタイリング装置の一例を上方からみた斜視図である。
【発明を実施するための形態】
【００３１】
図１〜図５及び図７〜図８は、アタッチメント１０の外観図である。アタッチメント１０は、空気流を温風スタイリング装置又はそれと同様の装置の空気出口端から受入れる空気入口１２を有する。空気入口１２は、略円形の形状を有するカラー１４によって構成され、温風スタイリング装置の略円形の空気出口端部との気密連結を可能にする。
【００３２】
アタッチメント１０の概略的な形態は、温風スタイリング装置から入射する空気流の方向に対して横断するように向けられた細長い環状のシリンダである。細長い環状のシリンダの形態は、平らで互いに平行な２つの側面部と、半管状の上部と、略半管状の下部を含む。アタッチメントの前面２４と後面２６は両方とも、細長い環状の形態を有し、かかる形態は、スタジアム形とも称される。アタッチメント１０は、アタッチメント１０の前面２４の内縁の周りに延びる環状のスロットである１次出口２８を含む。２次空気入口３０は、後面２６に近接してアタッチメントの外縁の周りに延びる環状のスロットである。
【００３３】
アタッチメントの外面１０の環状の前面２４は、アタッチメントの軸線ａ（図２に示す）に向かってアタッチメント１０の中心から遠ざかるように、外方に傾斜する。アタッチメントの外面１０の環状の後面２６は、アタッチメント１０の中心に向かって内方に傾斜する。
【００３４】
図５を参照すると、特に、カラー１４の外面は、１つ又は２つ以上の位置決め用の突起３２を有し、突起３２により、温風スタイリング装置の空気出口端部との固着係合を可能にする。カラー１４は、管状のネック部分３４を介して、アタッチメントの環状の円筒形部分に接合される。
【００３５】
図９はアタッチメントを構成する構成要素を示す。第１の構成要素３６は、アタッチメント１０の内壁３８を有し、細長い筒形の形態を有し、平らで互いに平行な２つの側面部と、半管状の上部と、略半管状の下部を含む。内壁３８の第１の端部１８は、１次空気出口の一部を構成し、内壁３８の第２の端部２０は、幾つかのフランジ２２を有する。幾つかの短い長方形の突起４０が、フランジ２２のうちの１つから延びる。内壁３８は、複数の羽根を両方の平らな側面部の外面に有する。５つの羽根４２、４４、４６、４８、５０が図示され、各羽根は、湾曲した細い薄板の形態を有する。羽根４２、４４、４６、４８、５０は、空気入口の近くでは、カラー１４と略平行の向きに配置され、空気出口１８の近くでは、カラー１４を横断する向きに配置される。第１の羽根４２は、最も短い長さを有し、別の３つの羽根４４、４６、４８は、徐々に長くなる長さを有する。第５の羽根５０は、第１の構成要素３６の平行な側面部に沿う途中から延び、空気出口１８の近くに至る。内壁リブ５２が、内壁３８半管状の上部及び下部の各々から突出する。
【００３６】
第２の構成要素５４は、アタッチメント１０の外壁５６を構成し、細長い筒形の形態を有し、平らで互いに平行な２つの側面部と、半管状の上部と、略半管状の下部を含む。外壁５６の第１の端部５８は、１次空気出口の一部を構成し、外壁５６の第２の端部６０は、幾つかのスロット６２を有し、スロット６２は、内壁３８の第２の端部２０から延びる長方形の突起４０と係合する。複数の位置決めリブ６４が、空気出口に隣接して外壁５６の外面に配置される。外壁５６の下部は、アタッチメントの空気入口を構成するネック部６６を含む。第２の構成要素５４は、その第１の端部５８のところに徐々に傾斜する部分７０を有する。
【００３７】
弾性の第１のＯリング６８が、ネック部６６の外面の上に嵌められる。弾性の第２のＯリング７２が、第１の構成要素３６の第２の端部２０のところのフランジ２２の上に位置決めされる。
【００３８】
第３の構成要素７４は、アタッチメント１０の低温壁７６を構成し、細長い筒状の形態を有し、平らで互いに平行な２つの側面部と、半管状の上部と、略半管状の下部を含む。低温壁７６の下部は、カラー１４に接合される管状のネック部３４を有する。低温壁７６の第１の端部７５のところの環状の前面２４は、外方に傾斜し、アタッチメント１０の中心から遠ざかる。アタッチメント１０の中心は、アタッチメント１０の細長い筒状の部分の高さ、幅、奥行きの各々の中間点と考えられる。
【００３９】
第４の構成要素７８は、後プレート８０を構成し、環状の形態を有し、真直ぐで互いに平行な２つの側面部を有し、２つの側面部は、湾曲した上部と湾曲した下部によって接合される。後プレート８０は、アタッチメント１０の中心に向かって内方に傾斜し、また、軸線ａと平行に延びる環状の形態の内側フランジ８２を、内縁のところに有する。位置決め用のリップ８４が、環状の後プレート８０の湾曲した上部の外縁に取付けられ、軸線ａと平行に延びる。一連の連結クリップ８６が、真直ぐで互いに平行な２つの側面部の各々に沿って、第４の構成要素７８の内面に配置される。連結クリップ８６は、第３の構成要素７４の内面の受け入れ部と係合する。
【００４０】
一連のリブ８８が、一連の連結クリップ８６と交互に、第４の構成要素７８の内面に配置される。図９では、後プレートの外縁と内側フランジ８２の間を延びる６つのリブ８８が示され、これらのリブは、髪の進入を防止するように機能する。
【００４１】
これらの４つの構成要素３６、５４、７４、７８の組立の間、外壁５６の第２の端部６０を内壁３８の第１の端部１８の上に移動させ、外壁５６の第２の端部６０が内壁３８の第２の端部２０のフランジ２２に係合するまで更にそのまま移動させる。特に、外壁５６の第２の端部６０のところのスロット６２を、内壁３８の第２の端部２０のところのフランジ２２から延びる矩形の突起４０と係合させる。
【００４２】
図６及び図９を参照すると、羽根４２、４４、４６、４８、５０及び内壁３８の内壁リブ５２は、第１のダクト３５を外壁５６と内壁３８の間に維持するように機能する。羽根４２、４４、４６、４８、５０及び内壁リブ５２は、外壁５６の内面に、例えば超音波溶接によって、融着される。かかる融着構造はまた、外壁構成体に剛性を追加するように機能する。
【００４３】
低温壁７６の第２の端部７７を外壁構成体の第１の端部５８の上に移動させ、低温壁７６の環状の前面２４の内面が外壁構成体の複数の位置決めリブ６４に当接するまで、更にそのまま移動させる。位置決めリブ６４を、低温壁７６の内面に、例えば超音波溶接によって融着させるのがよい。かかる融着構造はまた、アタッチメント１０に剛性を追加するように機能する。
【００４４】
最後に、後プレート８０を低温壁７６の第２の端部７７のところに位置決めし、それにより、外壁構成体を低温壁７６の中に包囲する。位置決めリップ８４を低温壁７６の半管状の上部の内側に滑り込ませ、内側フランジ８２と内壁３８の第２の端部２０を協働させる。
【００４５】
接着剤、ネジ、超音波溶接、及び圧入による固定のうちの１つ又は２つ以上を用いて、完成構成体をアタッチメント１０内の多数箇所で互いに固着させる。
【００４６】
図１０に示すアタッチメント１０の好ましい実施形態は、一連の５つの羽根４２、４４、４６、４８、５０を有する。これらの羽根は、任意の乱流が第１のダクト３５内に発生することを防止しながら、空気流を１次空気入口１２から１次空気出口２８に案内するように機能する。図１０を参照すると、各羽根４２、４４、４６、４８、５０は、異なる長さ及び形態を有し、かかる異なる長さ及び形態は、羽根の全体配列により以下の作用を可能にするように最適化され、かかる作用は、最初に入射空気流を抑制し、次いで、空気流の滞留箇所を最小にしながら、空気流を１次空気出口に向かって案内し、最後に、空気流を１次空気出口全体にわたって均一な速度で且つバランスの採れた配分で放射することである。
【００４７】
各羽根４２、４４、４６、４８、５０の輪郭は、各羽根の長さに沿う空気流の付着を許す。更に、羽根は、１次空気出口２８のところで放出される空気流が比較的少ない速度低下しか有しないように、放出される空気流を案内し、また、第１のダクト３５を、アタッチメント１０への入射空気流の方向に対して直角のまま一様に残す。例示の実施形態では、１次空気出口２８の直後の空気流の速度は、約３０ｍ／ｓ〜約３５ｍ／ｓである。
【００４８】
図７は、１次空気出口２８を示すアタッチメントの正面図であり、５つの羽根４２、４４、４６、４８、５０を１次空気出口２８の中に部分的に見ることができる。羽根４２、４４、４６、４８、５０の出口端部が均等に間隔をあけておらず、出口空気流のバランスの採れた配分を提供するように間隔をあけていることが分かる。
【００４９】
図１０を参照すると、各羽根４２、４４、４６、４８、５０の入口端部は、１次空気入口１２からアタッチメントに入る入射１次空気流の方向と整列している。各羽根４２、４４、４６、４８、５０の出口端部は、１次空気出口２８を通ってアタッチメント１０から出る放出１次空気流の方向と整列している。
【００５０】
使用の際、図１１に示すように、アタッチメント１０をヘアケア装置９０に取付ける。ヘアケア装置から放出される空気流の温度は暖かくてもよいし、周囲の温度であってもよいし、冷たくてもよい。第１のダクト３５は、１次空気入口１２と流体連通している。加熱された空気流をヘアケア装置９０から放出させ且つ第１のダクト３５を通して１次空気流出口２８まで流すとき、内壁３８及び外壁５６の温度が上昇することがある。外壁５６と低温壁７６の間の領域は、外壁５６を断熱する機能を有する第２のダクト３７を含む。
【００５１】
使用の際、第２のダクト３７は、周囲空気で満たされ、周囲空気は、２次空気入口３０から第２のダクト３７に入って２次空気出口３１のところで第２のダクト３７から出る。図６を参照すると、低温壁７６及び外壁５６は、外壁５６のほとんどにわたって互いに略平行に延びている。１次空気出口２８及び２次空気出口３１の近くにおいて、低温壁７６は、面取り角度γの環状の前面２４を有する。図示の実施形態では、環状の前面２４は、１次空気出口２８を越えて終端している。言い換えれば、２次空気出口３１は、１次空気出口２８と異なる平面内にある。
【００５２】
再び、図６を参照すると、内壁３８及び外壁５６は、内壁３８のほとんどにわたって互いに略平行に延びている。１次空気出口２８及び２次空気出口３１の近くにおいて、外壁５６は、内壁３８に向かって傾斜し、それにより、第１のダクト３５の断面積を減少させる。結果として、１次空気出口２８のところの１次空気流の速度及びスラスト力は、ヘアケア装置９０からの入射空気流の速度及びスラスト力よりも大きい。１次空気流は、１次空気出口２８のところで空気噴流を形成する。
【００５３】
低温壁７６の傾斜した前面２４は、２次空気流を１次空気流に向かって差し向ける機能を有し、その結果、２次空気流は、１次空気流に同伴され、それにより、第２のダクト３７の中の空気を移動させて、周囲空気を２次空気入口３０の中に引く。第２のダクト３７の中を移動する周囲空気は、低温壁７６の効果を向上させる。しかしながら、ユーザに到達する空気流温度を最適にするために、２次空気流と１次空気流の相対比率を制御すべきであり、それは、２次空気流が、加熱された１次空気流よりも低温であるからである。かかる制御は、１次空気流出口２８と２次空気流出口３１の寸法及び相対位置を含む出口ノズルの幾何学的形状によって実現される。
【００５４】
１次空気流出口の幅Ｗは、アタッチメントから出る１次空気流の速度を決定するファクタである。好ましい実施形態では、１次空気流出口の幅Ｗは、１ｍｍ〜４ｍｍであり、好ましくは、約１．６ｍｍである。好ましい実施形態では、１次空気出口の近くにおいて内壁に向かう外壁の傾斜は、１〜１５度の出口空気流角度βであり、かかる出口空気流角度βは、好ましくは、約５度である。
【００５５】
低温壁７６の傾斜した前面２４は、１次空気流出口２８を越えた距離Ｃのところで終わる。好ましい実施形態では、距離Ｃは、１ｍｍ〜８ｍｍであり、好ましくは、約４ｍｍである。好ましい実施形態では、低温壁７６の環状の前面２４は、全体的な低温壁の平面に対して１〜９０度の面取り角度γをなし、好ましくは、約４５度の面取り角度γをなす。
【００５６】
出口ノズルの幾何学的形状は、使用中、１次空気流及び２次空気流の組合せ噴流の主空気流噴流領域を決定することもできる。例示の実施形態では、主空気流噴流領域内の空気流は、約２０ｍ／ｓの速度を有する。特に、面取り角度は、アタッチメントの第１の端部７５と主空気流噴流領域の間の距離への著しい影響を有する。好ましい実施形態では、主空気流噴流領域は、アタッチメントの第１の端部７５から４ｃｍのあたりで始まり、第１の端部７５から２５ｃｍのあたりまで延びる。
【００５７】
好ましい実施形態では、アタッチメントの寸法は、第１の端部７５から第２の端部７７まで約６５ｍｍであり、低温壁の一番上からカラー１４の遠位端までの高さが約１００ｍｍである。また、アタッチメントを組立てたときに第１のダクト内の羽根が見えることが、図７に示されている。空気流の分離を回避するために、羽根は、１次空気出口の縁から約５ｍｍのところに配置される。
【００５８】
１次空気出口は、細長いリングの形状を有し、好ましい実施形態では、高さと幅の比率が約３：１である。
【００５９】
図１１は、アタッチメント１０が連結される温風スタイリング装置の例を示す。温風スタイリング装置は、略管状のハンドルを含み、ハンドルは、その両端に、空気入口と空気出口を有する。空気入口のところにおいて、孔の配列が、ハンドルの周りに且つハンドルに部分的に沿って延びている。ファンユニット（図示せず）が、ハンドル内に収容され、ファンとモータを含む。使用の際、モータは、ファンを駆動して、空気を空気入口から引き込み、ハンドルの長さを貫いて延びる空気流路に沿って引く。選択的に、空気を空気出口のところで温風スタイリング装置から出す前に空気をヒータ（図示せず）によって加熱してもよい。
【００６０】
アタッチメントの変形実施形態は、異なる配列の羽根を含む。例えば、５つよりも多い羽根が使用されてもよいし、５つよりも少ない羽根が使用されてもよく、分離した羽根及び翼形断面を有する羽根が、任意の組合せで存在してもよい。
【００６１】
アタッチメント１０は、任意適当な耐熱材料で作られるのがよく、好ましい実施形態では、ガラス充填ナイロン（登録商標）で作られる。温風スタイリング装置に連結されるかかるアタッチメント１０の好ましい最高作動温度は、約１３０℃である。
【００６２】
変形実施形態では、入口空気流を供給する同様の温風スタイリング装置を利用しながら、アタッチメント１０からの減少させた出口空気流速度を生じさせることが望ましい。これは、アタッチメント１０の全体寸法を大きくすることによって達成され得る。例えば、アタッチメント全体の深さ、高さ及び幅の各々は、１０ｍｍよりも大きく、空気出口は、３ｍｍまで大きくされる。
【００６３】
本発明は、上述した詳細な説明に限定されない。変更は、当業者に明らかである。
【図１】
2021526426.tif 000003
【図２】
2021526426.tif 000004
【図３】
2021526426.tif 000005
【図４】
2021526426.tif 000006
【図５】
2021526426.tif 000007
【図６】
2021526426.tif 000008
【図７】
2021526426.tif 000009
【図８】
2021526426.tif 000010
【図９】
2021526426.tif 000011
【図１０】
2021526426.tif 000012
【図１１】
2021526426.tif 000013
【国際調査報告】
2021526426.tif 000014
2021526426.tif 000015